(57)【要約】【課題】  ウオークインクローゼット、大容量の洋服タンスなどの空気の出入りが少ない広い空間での使用に特に適する薬剤揮散装置を提供すること。【解決手段】  常時は薬剤を自然揮散させて効果を持続させることができ、容易に強制揮散に切り替えて薬剤の揮散を行うことができる、径方向に平面翼を有するファンと、ファン中心に取り付けられた軸を介して接続されたファン回転手段と、ファンとファン回転手段との間に前記軸と垂直に設置されたシート状の常温揮散性薬剤含浸体と、を備える薬剤揮散装置。【選択図】  図１
2005117975.tif 000002
【特許請求の範囲】
【請求項１】
径方向に平面翼を有するファンと、
ファン中心に取り付けられた軸を介して接続されたファン回転手段と、
ファンとファン回転手段との間に前記軸と垂直に設置されたシート状の常温揮散性薬剤含浸体と、
を備える薬剤揮散装置。
【請求項２】
ファン回転手段が、ゼンマイを動力源とするファン回転手段である請求項１記載の薬剤揮散装置。
【請求項３】
常温揮散性薬剤含浸体が、常温揮散性殺虫成分含浸体である請求項１又は請求項２記載の薬剤揮散装置。
【請求項４】
径方向に平面翼を有するファンが、径方向に４〜１０枚の平面翼を有するファンである請求項１〜３いずれか1項記載の薬剤揮散装置。
【発明の詳細な説明】
【技術分野】
【０００１】
本発明は、薬剤揮散装置に関する。
【背景技術】
【０００２】
濾紙等のシート状担体に含浸された常温揮散性の薬剤を室温で自然に揮散させる自然揮散方式の常温揮散剤が知られている（例えば特許文献１、特許文献２参照）。
また、常温揮散性の薬剤をハニカム状等の通気性担体に担持させ、ファンの回転による発生気流によって、担持された薬剤を強制的に揮散させる強制揮散方式の薬剤揮散装置が知られている（例えば、特許文献３参照）。
【０００３】
【特許文献１】特開昭６０−１６１９０８号公報
【特許文献２】特開２０００−６３３２９号公報（製剤例１６）
【特許文献３】特開平７−２３６３９９号公報
【発明の開示】
【発明が解決しようとする課題】
【０００４】
前記の自然揮散方式の常温揮散剤は、薬剤効力の持続性に優れるものの、常温揮散剤本体の周りに気化した薬剤が飽和状態で停滞し、薬剤の新たな揮散を妨げるために、薬剤の揮散性及び拡散性が十分はない。そのため、自然揮散方式の常温揮散剤は空気の出入りが少ない狭い空間では効力を発揮するが、空気の出入りが少なくても広い空間では効力が十分に発揮されない場合があるという問題がある。
【０００５】
また、強制揮散方式の薬剤揮散装置では、薬剤の揮散性・拡散性に優れることから、空気の出入りが多い広い空間で効力を発揮するものの、薬剤効力の持続性が十分ではなかったり、必要以上に高濃度の薬剤が揮散されて薬剤が余分に必要となる場合があるという問題がある。さらに、従来の強制揮散方式の薬剤揮散装置はファン作動時に薬剤の揮散効率を高めるために、揮散した薬剤を周囲へ放出するための流路が狭くなっており、強制揮散方式の薬剤揮散装置のファンを停止しても自然蒸散した薬剤が大気中に放出され難く、従来の強制揮散方式の薬剤蒸散装置のファンを停止しただけでは自然蒸散方式の常温揮散剤として十分な効力を発揮するものとはならない。
【０００６】
本発明は、ウオークインクローゼット、大容量の洋服タンス等の空気の出入りが少ない広い空間で効力を発揮するのに適する薬剤揮散装置であって、常時は薬剤を自然揮散させて長期にわたって効果を持続させると共に、広い空間全体に薬剤を行き渡らせる場合又は空間内の薬剤濃度が低下した時に短時間で空間内の薬剤濃度を回復させる場合には、容易に強制揮散に切り替えて薬剤の揮散を行うことができる薬剤揮散装置を提供することを課題とする。
【課題を解決するための手段】
【０００７】
本発明の薬剤揮散装置は、径方向に平面翼を有するファンと、ファン中心に取り付けられた軸を介して接続されたファン回転手段と、ファンとファン回転手段との間に前記軸と垂直に設置されたシート状の常温揮散性薬剤含浸体と、を備えるものである。
【０００８】
本発明の薬剤揮散装置のファン回転手段として、ゼンマイを動力源とするファン回転手段を使用することができる。
【０００９】
さらに、本発明の薬剤揮散装置の常温揮散性薬剤含浸体として、常温揮散性殺虫成分含浸体を使用することができる。
【００１０】
また、本発明の薬剤揮散装置の径方向に平面翼を有するファンとして、径方向に４〜１０枚の平面翼を有するファンを使用することができる。
【発明の効果】
【００１１】
本発明の、径方向に平面翼を有するファンと、ファン中心に取り付けられた軸を介して接続されたファン回転手段と、ファンとファン回転手段との間に前記軸に垂直に設置されたシート状の薬剤含浸体と、を備える薬剤揮散装置という構成により、ファン停止時にはシート状の薬剤含浸体から、薬剤が周囲に適度に揮散される。さらに、ファン回転時には、ファンの回転によって発生した気流によって薬剤が強制的に揮散され、多量の薬剤が効率よく周囲に揮散される。
【００１２】
したがって、常時は薬剤を自然揮散させて長期にわたって効果が持続すると共に、広い空間全体に薬剤を行き渡らせる場合又は空間内の薬剤濃度が低下した時に短時間で空間内の薬剤濃度を回復させる場合には、ファンの回転による気流で薬剤を強制的に揮散させる強制揮散に切り替えて薬剤の揮散を行うことができる。
【００１３】
本発明の薬剤揮散装置のファン回転手段として、ゼンマイを動力源とするファン回転手段を使用することにより、電気コンセント等の外部的なエネルギー供給源が不要とすることができる。
【００１４】
本発明の薬剤揮散装置の常温揮散性薬剤含浸体として、常温揮散性殺虫成分含浸体を使用することにより、本発明の薬剤揮散装置を衣料の収納場所で使用した場合に、該衣料の収納場所に生息又は侵入する衣料に対して食害を与える害虫から、衣料を保護することができる。
【００１５】
本発明の薬剤揮散装置の径方向に平面翼を有するファンを、径方向に４〜１０枚の平面翼を有するファンを使用することによって、翼で薬剤含浸体が隠される面積が小さいためにファン停止時に薬剤含浸体が大気に接する面積が狭くなりすぎず、一方、ファン回転時に薬剤を揮散させるために十分な量の気流を発生させることができる。
【発明を実施するための最良の形態】
【００１６】
本発明の薬剤揮散装置は、径方向に平面翼を有するファンと、ファン中心に取り付けられた軸を介して接続されたファン回転手段と、ファンとファン回転手段との間に前記軸と垂直に設置されたシート状の常温揮散性薬剤含浸体と、を備えるものである。
【００１７】
本発明の薬剤揮散装置は一部がカバー等により覆われていてもよいが、ファン停止時にシート状の常温揮散性薬剤含浸体から薬剤を自然揮散させるという目的を達するために、本発明の薬剤揮散装置の大部分がカバー等により覆われているものは好ましくない。
【００１８】
本発明において、径方向に平面翼を有するファンの大きさは通常直径５〜３０ｃｍ、高さ０．２〜３ｃｍである。該ファンの各翼の形状は、長方形、台形、平行四辺形、その他の形状が挙げられ、ファンの各翼の外周にはファンの強度を保つための枠が設けられていてもよい。
【００１９】
該ファンの材質としては、通常ファンの強度、成形性等の点から、合成樹脂が挙げられる。かかる合成樹脂としては、例えばポリアミド樹脂、ポリエチレンナフタレート樹脂、エチレン−ビニルアルコール共重合樹脂、アクリロニトリル−ブタジエン−スチレン樹脂、ポリカーボネート樹脂が挙げられる。
【００２０】
本発明において、ファン中心に取り付けられた軸を介して接続されるファン回転手段としては、例えば電気モータ、及びゼンマイを動力源とする回転手段が挙げられる。本発明の薬剤揮散装置ではファン回転手段としては、電気コンセント等の外部的なエネルギー供給源が不要となる点からゼンマイを動力源とする回転手段を用いることが好ましい。
【００２１】
ファン回転手段としてゼンマイを動力源とするファン回転手段を用いる場合には、本発明の薬剤揮散装置は、通常はファンが停止して薬剤が自然揮散する状態にあり、必要に応じてゼンマイを巻くと、そのゼンマイの復元力が歯車やギアを介してファン中心に取り付けられた軸に回転力として伝達され、ファンが回転し、薬剤が強制揮散する状態となる。
【００２２】
本発明の薬剤揮散装置は、ウオークインクローゼット、大容量の洋服タンス等の空気の出入りが少ない広い空間で薬剤を揮散させるのに適するものであり、空間全体に薬剤を行き渡らせる場合や、室内の薬剤濃度が低下した時に短時間で薬剤濃度を回復させる場合に適宜ファンを回転させれば十分である。したがって、ゼンマイを巻くことによってファンが回転する時間は通常１０秒〜５分間程度で十分である。また、この場合のファンの回転速度は、通常１００〜４００ｒｐｍ程度である。
なお、ファンの回転時間、回転数は本発明の薬剤揮散装置を設置する場所に応じて変化させることができる。
【００２３】
本発明において、シート状の常温揮散性薬剤含浸体は、シート状の担体に常温揮散性の薬剤を含浸させたものである。
【００２４】
本発明に用いられるシート状の担体の材質としては、例えば濾紙等の紙、アクリロニトリル−ブタジエン−スチレン樹脂等の合成樹脂、アルミニウム、綿、麻、ウール、フェルト等が挙げられる。
【００２５】
本発明に用いられる常温揮散性薬剤としては、例えば常温揮散性の殺虫成分、芳香成分、消臭成分、及び抗菌成分が挙げられる。ここで、常温揮散性とは、２５℃における蒸気圧が１×１０-6ｍｍＨｇ以上であるものを指す。
【００２６】
本発明に用いられる常温揮散性の殺虫成分としては、例えば、１−エチニル−２−メチル−２−ペンテニル  ３−（２−クロロ−２−フルオロビニル）−２，２−ジメチルシクリプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−メチル−２−ペンテニル  （１Ｒ）−３−（２−メチル−１−プロペニル）−２，２−ジメチルシクロプロパンカルボキシラート（一般名：エンペントリン）、２，３，５，６−テトラフルオロベンジル  （１Ｒ）−トランス−３−（２，２−ジクロロビニル）−２，２−ジメチルシクロプロパンカルボキシラート（一般名：トランスフルスリン）、２，３，５，６−テトラフルオロ−４−メトキシメチルベンジル  （１Ｒ）−トランス−３−（１−プロペニル（Ｅ／Ｚ＝約８／１））−２，２−ジメチルシクロプロパンカルボキシラート、２，３，５，６−テトラフルオロ−４−メトキシメチルベンジル  （１Ｒ）−トランス−３−（２−メチル−１−プロペニル）−２，２−ジメチルシクロプロパンカルボキシラート、２，３，５，６−テトラフルオロ−４−メチルベンジル  （１Ｒ）−トランス−３−（１−プロペニル（Ｅ／Ｚ＝約８／１））−２，２−ジメチルシクロプロパンカルボキシラート等のピレスロイド化合物、及び２，２−ジクロロビニル  ジメチル  ホスフェートが挙げられる。これらの化合物は公知の文献に記載された方法により製造することができる。
【００２７】
本発明においてシート状の常温揮散性薬剤含浸体の大きさ形状は、本発明の目的を達する範囲で適宜変更することができるが、薬剤揮散のバランスの点から、ファンの大きさとほぼ同一の円形であることが好ましい。また、該シート状常温揮散性薬剤含浸体の厚さは、通常０．０１〜５ｍｍ程度である。
【００２８】
本発明においてシート状の常温揮散性薬剤含浸体としては、薬剤揮散終了後にその旨が表示されるインジケータ機能付きのものを使用することができる。
【００２９】
本発明の薬剤揮散装置おいてシート状の常温揮散性薬剤含浸体は、ファンとファン回転手段との間に、ファンとファン回転手段とを接続する軸に垂直に設置されている。ここで、軸に垂直とは、常温揮散性薬剤含浸体シート平面から軸が略垂直になっていることをいい、ファンの回転によって発生した気流が常温揮散性薬剤を含浸するシートに満遍なくあたるものであればよい。
【００３０】
本発明の薬剤揮散装置おいてシート状の常温揮散性薬剤含浸体は、ファンの回転と共に回転するように設置されていても、ファンが回転した場合に回転しないように固定して設置されていてもよい。
【００３１】
本発明の薬剤揮散装置は、例えばウオークインクローゼット、大容量の洋服タンス等の空気の出入りが少ない広い空間に設置して使用される。この場合の使用方法としては、例えば、常時はファン停止状態で薬剤を自然揮散させ、本発明の薬剤揮散装置の設置場所に人が出入りした時にファンを回転させて、薬剤を強制揮散させる方法が挙げられる。
【実施例】
【００３２】
本発明の実施の一形態について図１に基づいてさらに詳しく説明する。
図１は、径方向に平面翼を有するファン１、ファン中心に取り付けられた軸２、軸２を介して接続されたファン回転手段３、及びファン１とファン回転手段３との間に軸２に垂直に設置されたシート状の常温揮散性薬剤含浸体４の構造を分解して示したものである。
【００３３】
図１に示される形態のファン１、軸２、回転手段３、及び常温揮散性薬剤含浸体４は組み立てられた状態で使用される。
常時はファン１が停止状態であるので、薬剤含浸体４から薬剤が徐々に自然揮散され、薬剤の効果が長期にわたって持続される。そして、広い空間全体に薬剤を行き渡らせる場合又は空間内の薬剤濃度が低下した時に短時間で空間内の薬剤濃度を回復させる場合には、回転手段３を動作させてファン１を回転させる。ファン１の回転によって、常温揮散性薬剤含浸体４にファン１の回転によって発生した気流があたり、薬剤含浸体４から多量の薬剤が強制的に揮散される。
【産業上の利用可能性】
【００３４】
本発明の薬剤揮散装置は、ウオークインクローゼット、大容量の洋服タンス等の空気の出入りが少ない広い空間で薬剤を揮散させるのに適するものである。
【図面の簡単な説明】
【００３５】
【図１】本発明の薬剤揮散装置の一形態の分解図
【図２】本発明の薬剤揮散装置を用いた器具の一態様を示す斜視図
【符号の説明】
【００３６】
１…ファン
２…軸
３…回転手段
４…薬剤含浸体
【図１】
2005117975.tif 000003
【図２】
2005117975.tif 000004